(57)【要約】      （修正有）【課題】特定の温度および／または湿度で保管されることを要求する物品を扱うオンラインコマースによって購入された注文を受け入れ、保管するための自動ターミナルを提供する。【解決手段】物品を保管するための自動ターミナルは、遠隔地にある主制御部と接続されており、物品に関する情報を受信して、上記情報に基づいて、ターミナル管理命令を生成する制御ユニット６と、少なくとも１つのモジュール１と、を備え、各モジュールは、物品を保管するための少なくとも１つのボックス２と、制御ユニット６、および、モジュールの各ボックスに接続された空気環境制御手段５と、を備えており、空気環境制御手段は、各ボックスについて、物品に応じて要求される環境温度条件および／または環境湿度条件を個別に生成して維持する。【選択図】図２
0003203898.tif 000002
【実用新案登録請求の範囲】
【請求項１】
物品を保管するための自動ターミナルであって、
遠隔地にある主制御部と接続されており、物品の注文に関する情報を受信して、上記情報に基づいて、ターミナル管理命令を生成する制御ユニット（６）と、
少なくとも１つのモジュール（１）とを備え、
上記モジュール（１）は、それぞれ、
物品を保管するための少なくとも１つのボックス（２）と、
制御ユニット（６）、および、上記モジュール（１）の上記ボックス（２）の各々と接続されており、物品に要求される環境温度条件および／または環境湿度条件を生成および維持する空気環境制御手段（５）と、
を備えたことを特徴とする自動ターミナル。
【請求項２】
上記ボックス（２）は、それぞれ、該ボックス（２）が開くことを選択的に防御するブロッキング素子（３）を備えており
上記ブロッキング素子（３）は、上記制御ユニット（６）と接続されていることを特徴とする、請求項１に記載された、物品を保管するための自動ターミナル。
【請求項３】
上記ボックス（２）は、それぞれ、該ボックス（２）の熱耐性を強化して、該ボックス（２）について選択された温度を維持することを助けるための絶縁手段を備えたことを特徴とする、請求項１に記載された、物品を保管するための自動ターミナル。
【請求項４】
上記制御ユニット（６）は、タッチスクリーンを備えたＰＣを含むことを特徴とする、請求項１に記載された、物品を保管するための自動ターミナル。
【請求項５】
上記空気環境制御手段（５）は、上記ボックス（２）上部の上に配置されており、
上記モジュール（１）は、該モジュール（１）上部の上に配置されたカバー（１０）と協働して、上記空気環境制御手段（５）を覆い隠すことを特徴とする、請求項１に記載された、物品を保管するための自動ターミナル。
【考案の詳細な説明】
【技術分野】
【０００１】
本考案は、物流の技術分野に含まれ、より詳細には物品の保管の技術分野に含まれる。特に、本考案の対象は、物品を保管するための自動ターミナルであり、特に、Ｅコマースによって購入された物品を、購買者によって取得されるまで保管するために設計された自動ターミナルである。
【背景技術】
【０００２】
従来の売買では、購買者が商業施設を訪れて、その商業施設において特定の商品を購入する。購買者は、商品を持ち帰ることもできるし、特定の時間内に自宅またはその他の指定場所へ商品を配達することもできる。従来の売買の代替として、購買者が商業施設まで移動する必要がないビジネスモデルが開発されている。このビジネスモデルでは、購買者は、カタログ（印刷物またはインターネット）を見て、電話（およびファックスなど）または電気通信手段（例えば、インターネット）によって、遠隔地から注文を発注することができる。
【０００３】
上記のビジネスモデルは、保管用ターミナル（産業用ターミナルとも呼ばれる）の使用を含む。企業は、保管用ターミナルまで製品を輸送して、購買者が製品を取得するまで、製品を保管用ターミナルで保管する。保管用ターミナルは、様々なサイズの複数のボックスを含む。ボックスには、インターネットを介して、電子コマース、または「Ｅコマース」として知られる方式で購入された製品の入った包装品が保管される。保管用ターミナルは、自動化され、かつ、コンピュータ制御された管理手段をさらに含む。管理手段は、ボックス内にある包装品の収容量を管理する。管理手段は、ボックスから離れた位置にあってもよい。
【考案の概要】
【０００４】
本考案は、物品を保管するための自動ターミナルを提供する。自動ターミナルは、温度や湿度などの環境条件に関する固有の要求を持った物品の保管を可能にする。
【０００５】
本考案は、唯一の目的というわけではないが、特に、特定の温度および／または湿度で保管されることを要求する物品を扱うオンラインコマースによって購入された注文を受け入れるための産業保管用ターミナルの使用法を目的とする。
【０００６】
自動ターミナルは、遠隔地にある主制御部と接続された制御ユニットを含む。制御ユニットは、主制御部から、注文の性質に関する情報を受信して、上記情報に基づいて、ターミナル管理命令を生成する。
【０００７】
本考案のターミナルは、様々な需要に柔軟に対応するモジュラである。そのために、ターミナルは、少なくとも１つのモジュールを備える。少なくとも１つのモジュールは、物品を保管するための複数のボックスと、各モジュールの各ボックスにおいて、要求される環境条件（例えば、温度および／または湿度）を個別に提供し、維持するように構成された空気環境制御手段と、を備える。
【図面の簡単な説明】
【０００８】
【図１】本考案のターミナルの一部の遠近図である。
【図２】本考案のモジュールの第１の好ましい実施形態の分解図である。
【図３】本考案のターミナルの第２の好ましい実施形態の一部の概略図である。
【考案を実施するための形態】
【０００９】
記述を補完するために、また、本考案の特徴の理解を深める助けとするために、本考案の好ましい実施形態にしたがって、本考案の一部として、一組の図面を記述に付随させる。以下に表す一組の図面は、考案を限定しない単なる例である。
【００１０】
図１は、本考案のターミナルの一部の遠近図である。
【００１１】
図２は、本考案のモジュールの第１の好ましい実施形態の分解図である。
【００１２】
図３は、本考案のターミナルの第２の好ましい実施形態の一部の概略図である。
【００１３】
以下で、上述した図１〜３を用いて、本考案の好ましい実施形態を詳細に説明する。
【００１４】
図１に示すように、本考案は、物品を保管するための自動ターミナルを示す。自動ターミナルは、モジュラの性質を付与されており、少なくとも１つのモジュール（１）を含む。各モジュール（１）は、図２に示すように、少なくとも１つのボックス（２）を含み、好ましくは複数のボックス（２）を含む。ボックス（２）は、物品が購買者によって取得されるまでの間、物品を保管する。各ボックス（２）は、ボックス（２）が開かれることを選択的に防御するためのブロッキング素子（３）を含む。好ましくは、ブロッキング素子（３）は、電子ロックの形態で構成される。
【００１５】
各モジュール（１）は、モジュール（１）の各ボックス（２）に接続された空気環境制御手段（５）を追加的に含む。空気環境制御手段（５）は、各ボックス（２）について予め決定された温度条件および／湿度条件を、各ボックス（２）に個別に提供する。空気環境制御手段（５）は、ボックス（２）を冷却または加熱するように構成されている。すなわち、空気環境制御手段（５）は、ボックス（２）を環境温度よりも低い温度または高い温度に到達させかつ維持することが可能であるように構成されている。例えば、モジュール（１）の空気環境制御手段（５）は、モジュール（１）の全てのボックス（２）を冷却または加熱するように構成されていてもよいし、１つのボックス（２）を冷却して、他のボックス（２）を加熱するように構成されていてもよい。いずれの場合であっても、同一のモジュールの異なるボックス（２）について、異なる温度および／または湿度が選択されてよい。
【００１６】
ボックス（２）は、好ましくは、ボックス（２）の熱耐性を強化するための断熱手段（図示せず）、例えば、断熱物質の被覆をさらに含んでいてもよい。断熱手段は、ボックス（２）について選択された温度を維持することを助ける。
【００１７】
ターミナルは、保管庫を制御するために、モジュール（１）と接続された制御ユニット（６）をさらに含んでいてもよい。制御ユニット（６）は、タッチスクリーンを備えたＰＣと協働してもよい。制御ユニット（６）は、主制御部（図示せず）と接続されており、（ＵＳＢメモリなどの記憶装置を用いて、インターネット、内部ネットワーク、例えば、イーサネット（登録商標）によって）注文に関連する情報を送受信する。
【００１８】
図２に示す例では、モジュール（１）は、互いに隣接する４つのボックス（２）を含む。各ボックス（２）は、上述したブロッキング素子（３）と協働するフロントドア（７）を備える。第１の支持ベース（８）は、モジュール（１）の下部に集合したモジュール（１）のボックス（２）を支持して、維持する。同様に、第２の支持ベース（９）は制御ユニット（６）を支持する。空気環境制御手段（５）は、ボックス（２）上部の上に設置されており、対応するダクト（図示せず）によって、ボックス（２）と接続されている。カバー（１０）は、モジュール（１）上部の上に配置されており、空気環境制御手段（５）を覆い隠す。
【００１９】
図３に示す例では、モジュール（１）は、３つの３行４列のボックス（２）を含む。中段のボックス（２）は、上段および下段のボックス（２）よりも高い。空気環境制御手段（５）は、この例では、上段のボックス（２）の１つに、冷凍温度−１８℃を提供する。また、空気環境制御手段（５）は、中段のボックス（２）には冷蔵温度４℃を提供し、下段のボックス（２）には環境温度２３℃と低下した湿度条件とを提供する。
【００２０】
以下に、本考案のターミナルの動作例を示す。購買者は、Ｅコマースによって、インターネットで物品を注文する。主制御部は、注文データを受信して、ターミナルで保管するために必要な情報を、インターネットを介して、制御ユニット（６）へ送信する。制御ユニット（６）は、物品および空気環境制御条件（２）をボックス（２）に割り当てるために必要な指示を送信する。物品がターミナルに受け入れられたとき、制御ユニット（６）は、物品の到着を記録し、対応するボックス（２）にその物品を保管する。購買者本人が物品を受け取るためにターミナルに現れたとき、制御ユニット（６）は、ブロッキング素子（３）の防御をなくしてボックス（２）を開く。そして、制御ユニット（６）は、ボックス（２）が空きになったことを記録し、ボックス（２）の空気環境制御条件を解除する。
【図１】
0003203898.tif 000003
【図２】
0003203898.tif 000004
【図３】
0003203898.tif 000005